(57)【要約】      （修正有）【課題】着用により生理痛を緩和できる生理痛緩和装着具を提供する。【解決手段】生理痛緩和装着具１は、伸縮性素材の生地からなる腹巻本体１０と、腹巻の皮膚と接触する面に固定された複数のガラスビーズとを有し、ガラスビーズは、腹巻本体を着用時の身幅方向の７割以上の領域に固定されている。また、複数のガラスビーズは、互いに１ｃｍ未満の間隔で離間して固定され、身丈方向において、長さ８ｃｍ以上の領域に固定されている。ビーズ固定領域１２のガラスビーズが下腹部に直接接触し、着用者の動作により、適度な着圧値で下腹部全体に擦れることで生理痛を緩和させる。【選択図】図１
0003220856.tif 000002
【実用新案登録請求の範囲】
【請求項１】
伸縮性素材の生地からなる腹巻と、
前記腹巻の皮膚と接触する面に固定された複数の突起物と
を有し、
前記突起物が固定されている領域は、前記腹巻を着用した時の下腹部に面した側の身幅方向の７割以上である
生理痛緩和装着具。
【請求項２】
伸縮性素材の生地からなるショーツと、
前記ショーツの下腹部に接触する面に固定された複数の突起物と
を有し、
前記突起物が固定されている領域は、前記ショーツを着用した時の下腹部に面した側の身幅方向の７割以上である
生理痛緩和装着具。
【請求項３】
前記複数の突起物は、互いに１ｃｍ未満の間隔で離間して固定されており、
前記突起物は、身丈方向において、長さ８ｃｍ以上の領域に固定されている
請求項１又は２に記載の生理痛緩和装着具。
【請求項４】
前記複数の突起物は、前記腹巻または前記ショーツを着用した時に人体の下腹部を覆う領域に、互いに離間して接着されており、
前記腹巻または前記ショーツは、前記突起物のある位置において、着圧値が１０ｈＰａ未満となるように形成されている
請求項１又は２に記載の生理痛緩和装着具。
【請求項５】
前記突起物は、前記腹巻または前記ショーツの皮膚と接触する面から突出する高さが４ｍｍ以下の粒状であり、１ｃｍ２当たり９個未満の該突起物が配置されている
請求項１または２に記載の生理痛緩和装着具。
【考案の詳細な説明】
【技術分野】
【０００１】
本考案は、生理痛緩和装着具に関する。
【背景技術】
【０００２】
例えば、特許文献１には前身頃（１１）と後身頃（１２）の上縁に胴口（１３）を形成し、下縁左右に脚口（１４）を形成した下着（１０）であって、前記後身頃（１２）の仙骨に対応する部分にポケット（１５）を形成し、そのポケット（１５）に複数のボール（２４）が装入されていることを特徴とする下着が開示されている。
【先行技術文献】
【特許文献】
【０００３】
【特許文献１】特開２０１４−１５２４０４号公報
【考案の概要】
【考案が解決しようとする課題】
【０００４】
痛みの発生箇所が特定できる場合、経皮鎮痛消炎剤を痛みの発生箇所近傍に貼ることで痛みを緩和できた。しかし、痛みの発生箇所が不明確な場合、例えば、生理痛などでは、貼付薬等で対応が難しく、ロキソニン（登録商標）などの内服薬に頼るのが現状であった。そこで、本考案は、上記事情を鑑みたものであり、発生箇所を特定できない生理痛を緩和する生理痛緩和装着具を提供することを目的とする。
【課題を解決するための手段】
【０００５】
本考案者は、種々検討した結果、比較的広範囲に配置された突起物を下腹部に接触させることにより、生理痛が緩和されることを発見した。
【０００６】
本考案に係る生理緩和装着具は、伸縮性素材の生地からなる腹巻と、前記腹巻の皮膚と接触する面に固定された複数の突起物とを有し、前記突起物が固定されている領域は、前記腹巻を着用した時の下腹部に面した側の身幅方向の７割以上である。
【０００７】
本考案に係る生理緩和装着具は、伸縮性素材の生地からなるショーツと、前記ショーツの下腹部に接触する面に接着された複数の突起物とを有し、前記突起物が固定されている領域は、前記ショーツを着用した時の下腹部に面した側の身幅方向の７割以上の領域に接着されている。
【０００８】
好適には、前記複数の突起物は、互いに１ｃｍ未満の間隔で離間して固定されており、前記突起物は、身丈方向において、長さ８ｃｍ以上の領域に固定されている。
【０００９】
好適には、前記複数の突起物は、前記腹巻または前記ショーツを着用した時に人体の下腹部を覆う領域に、互いに離間して接着されており、前記腹巻または前記ショーツは、前記突起物のある位置において、着圧値が１０ｈＰａ未満となるように形成されている。
【００１０】
好適には、前記突起物は、前記腹巻または前記ショーツの皮膚と接触する面から突出する高さが４ｍｍ以下の粒状であり、１ｃｍ２当たり９個未満の該突起物が配置されている。
【考案の効果】
【００１１】
着用により生理痛を緩和することができる。
【図面の簡単な説明】
【００１２】
【図１】生理痛緩和装着具１を例示する図である。
【図２】図１における生理痛緩和装着具１の拡大断面図（ａ）及び部分拡大図（ｂ）を例示する図である。
【図３】生理痛緩和装着具２を例示する図である。
【考案を実施するための形態】
【００１３】
実施例１における腹巻１の概要を説明する。
以下、本考案の実施形態の構成を、図面を参照して説明する。ただし、本考案の範囲は、図示例に限定されるものではない。
図１は、実施例における生理痛緩和装着具１を例示する図である。
図１に例示するように、生理痛緩和装着具１は、人体の胴部に装着させる衣服であり、腹部を冷やさないようにするために着用される腹巻である。生理痛緩和装着具１は、腹巻本体１０と、ビーズ固定領域１２とにより構成され、ビーズ固定領域１２は、ガラスビーズ１２０と、接着剤１２２とを有する。
【００１４】
（腹巻本体１０）
腹巻本体１０は、伸縮性素材の生地からなる腹巻である。なお、腹巻本体１０は、既存の製品で代用することができる。腹巻本体１０は、本考案に係る腹巻の一例である。
（ビーズ固定領域１２） 
ビーズ固定領域１２は、腹巻本体１０にガラスビーズ１２０が接着されている領域である。ビーズ固定領域１２は、腹巻本体１０の皮膚と接触する面に接着された複数のガラスビーズ１２０と、ガラスビーズ１２０を腹巻本体１０に接着させる接着剤１２２とを有する。ガラスビーズ１２０は、本考案に係る突起物の一例である。
ビーズ固定領域１２は、腹巻本体１０を着用した時の下腹部に面した身幅方向の７割以上の領域である。さらに、ビーズ固定領域１２は、腹巻本体１０の身丈方向において、８cｍ以上の領域である。より具体的には、ビーズ固定領域１２は、腹巻本体１０を着用時に下腹部を覆う領域である。ビーズ固定領域１２は、直接肌に触れるよう着用される。また、腹巻本体１０は、ガラスビーズ１２０が接着されている位置において、着圧値が１０ｈＰａ未満となるように形成されている。
ビーズ固定領域１２が下腹部を覆う領域に設けられているため、生理痛緩和装着具１を着用時に下腹部全体にガラスビーズ１２０が接触し、着用者が動作することにより、ガラスビーズ１２０が下腹部全体を擦り、生理痛を緩和する。
【００１５】
(ガラスビーズ１２０)
図２（a）は、図１における生理痛緩和装着具１の拡大断面図を例示する図である。
図２（a）に例示するように、ガラスビーズ１２０は、例えば、粒状に成形されたビーズ体である。ここで粒状とは、球状と俵状とを含む概念である。なお、本実施例のガラスビーズ１２０は、球状である。また、球状であるガラスビーズ１２０の直径は、４ｍｍ以下の大きさに形成されている。具体的には、ガラスビーズ１２０の直径は、１．０ｍｍ以上２．０ｍｍ以下であり、本実施例のガラスビーズ１２０の直径は、１．５ｍｍである。
また、ガラスビーズ１２０の表面形状は、滑らかな表面に形成され尖っていない。そのため、接触する皮膚に損傷を与えることがなく、均一な圧迫が実現できる。また、ガラスビーズ１２０の硬度は、例えば皮膚の末梢神経や経穴等を圧迫することができる程度の硬度を有するものが好ましい。
本実施例のガラスビーズ１２０は、ガラスにより構成されたビーズ体であるが、ガラスのみに限定するものではなく、合成樹脂、又は、金属により構成されてもよい。ビーズ体として、例えば合成樹脂により構成される場合、セラミック粒、硬質ゴム粒である。また、ビーズ体は、例えば金属により構成される場合、アルミナ粒である。また、磁気機能を備えるよう構成してもよい。
【００１６】
次に、ガラスビーズ１２０の配列を説明する。
ガラスビーズ１２０は、接着剤１２２により、腹巻本体１０を着用時に皮膚と接触する面（裏側）に接着されている。具体的には、ガラスビーズ１２０は、ガラスビーズ１２０の表面に接着剤１２２が覆いかからないように接着されており、ガラスビーズ１２０の一部のみの接着（点接着）により腹巻本体１０に接着している。ガラスビーズ１２０は、腹巻本体１０に点接着することにより、腹巻本体１０全体の伸縮性を妨げないよう配置することができる。
図２（ｂ）に例示するように、複数のガラスビーズ１２０は、互いに離間して配置されている。ガラスビーズ１２０の接着位置は、例えば、正三角格子状、又は、正方格子状に配列されている。なお、本実施例のガラスビーズ１２０の接着位置は、正三角格子状に配列されている。
ガラスビーズ１２０は、互いに（例えばガラスビーズ１２０の中心から他のガラスビーズ１２０の中心までの離間距離Ｄ寸法が）１ｃｍ未満の間隔となる位置に接着されている。具体的には、ガラスビーズ１２０は、互いに４ｍｍ以上６ｍｍ以下間隔をあけて接着されている。なお、本実施例のガラスビーズ１２０は、互いに５ｍｍの間隔をあけて接着されている。また、ガラスビーズ１２０は、ビーズ固定領域１２において、１ｃｍ２当たり９個未満となるよう配置され、本実施例のガラスビーズ１２０は、１ｃｍ２当たり４個以上９個未満となるよう配置されている。
【００１７】
また、ガラスビーズ１２０は、接着された腹巻本体１０の表面から突出して接着されている。具体的には、図２（ａ）のガラスビーズの高さｈに示すように、ガラスビーズ１２０は、４ｍｍ以下の高さで腹巻本体１０の表面から突出している。なお、本実施例のガラスビーズ１２０は、１ｍｍ以上２ｍｍ以下の高さで、腹巻本体１０の表面から突出している。
ガラスビーズ１２０は、腹巻１を着用時に、表面から突出する高さが４ｍｍ以上だと、末梢神経や経穴を圧迫する強度が過大になり、痛みが強くなるおそれがあり、一方、表面から突出する高さが１ｍｍ以下だと、圧迫する強度が過小になり所定の生理痛を緩和する効果が得られなくなってしまうおそれがある。そのため、ガラスビーズ１２０は、ビーズ体の粒径を考慮したうえで、生理痛の緩和効果の得られる突出量とすることが望ましい。
【００１８】
（接着剤１２２）
図２（ａ）に例示するように、接着剤１２２は、ガラスビーズ１２０を腹巻本体１０に固定する接着剤である。
接着剤１２２は、ガラスビーズ１２０の投影面積の１／２以上の領域に塗布されている。具体的には、接着剤１２２は、ガラスビーズ１２０の投影面積と同じ領域、若しくは、それより小さい投影面積で塗布されている。本実施例の接着剤１２２は、粒状のガラスビーズ１２０と同様の形状に腹巻本体１０に塗布されており、例えば、ガラスビーズ１２０の直径と略同じ大きさである。具体的には、接着剤１２２は、ガラスビーズ１２０の直径が１．０ｍｍ以上２．０ｍｍ以下である場合、接着剤１２２の塗布された直径が１．０ｍｍ以上-２．０ｍｍ以下の大きさで塗布される。接着剤１２２は、塗布する範囲が広い場合（ガラスビーズ１２０の投影面積を超える場合）、必要以上の接着剤１２２を使用することになるので、コストパフォーマンスが悪くなる。逆に、塗布する範囲が狭い場合（ガラスビーズ１２０の投影面積の１／２以下である場合）、接着剤１２２の使用量が少なくなるが、ガラスビーズ１２０の接着強度が弱くなり、接着位置がずれるおそれがある。そのため、接着剤１２２は、接着するガラスビーズ１２０の大きさに合わせて、塗布量を適宜に変更することが望ましい。
また、接着剤１２２は、腹巻本体１０に塗布された厚みが１ｍｍ以下となるよう塗布されている。本実施例の接着剤１２２は、０．０５ｍｍ〜０．５ｍｍの範囲の厚みで塗布される。これらより、接着剤１２２は、ガラスビーズ１２０の一部のみの接着（点接着）とすることにより、腹巻本体１０の伸縮性を妨げない。一方で、接着位置近傍における腹巻本体１０の伸縮性を抑制することにより、ガラスビーズ１２０の脱落を防止することができる。
【００１９】
接着剤１２２は、例えば、合成樹脂により構成されている。具体的には、接着剤１２２は、エポキシ系、エチレン系、アクリル系、シリコン系、ウレタン系等により構成されている。なお、本実施例での接着剤１２２は、これらの系統のうち、より好ましいウレタン樹脂を主成分とする接着剤である。接着剤１２２は、弾力性のある接着強度に優れたウレタン樹脂の接着剤を用いることにより、腹巻１０の伸縮性に耐える強度であり、かつ、滑らかな表面に形成されたガラスビーズ１２０を腹巻本体１０に接着することができる。接着剤１２２は、腹巻本体１０に比べて伸縮しにくいため、腹巻本体１０が伸縮しても接着されたガラスビーズ１２０近傍の布地の伸縮を防止することができる。
また、接着剤１２２は、ウレタン樹脂を主成分とする接着剤のうち反応系のものを選択することにより、耐水性を得られることが期待できる。
【００２０】
以上説明したように、本実施例における生理痛緩和装着具１は、着用により、ビーズ固定領域１２のガラスビーズ１２０が下腹部に直接接触し、着用者の動作により、適度な着圧値のもと、ガラスビーズ１２０が下腹部全体に擦れることで生理による下腹部の痛みを緩和させる。また、生理痛は、痛みの部分を特定しにくく、表面的及び局在化した痛みではないため、生理痛緩和装着具１のように、広範囲な領域をガラスビーズ固定領域１２とすることで、ガラスビーズ１２０により下腹部全体を刺激することが有効である。
【００２１】
実施例２における生理痛緩和装着具２の概要を説明する。
図３は、実施例２における生理痛緩和装着具２を例示する図である。
図３に例示するように、生理痛緩和装着具２は、生理痛を伴う場合に着用することを前提としており、生理用ナプキンを身体に押し当て、体との隙間を空けないよう、低伸縮性の生地からなるサニタリーショーツである。
生理痛緩和装着具２は、ショーツ本体２０と、ビーズ固定領域２２とにより構成され、ビーズ固定領域２２は、ガラスビーズ１２０と、接着剤１２２とを有する。
【００２２】
（ショーツ本体２０）
ショーツ本体２０は、伸縮性素材の生地からなるショーツである。なお、ショーツ本体２０は、既存の製品で代用することができる。ショーツ本体２０は、本考案に係るショーツの一例である。
（ビーズ固定領域２２）
ビーズ固定領域２２は、ショーツ本体２０にガラスビーズ１２０が接着されている領域である。ビーズ固定領域２２は、ショーツ本体２０の皮膚と接触する面に接着された複数のガラスビーズ１２０と、ガラスビーズ１２０をショーツ本体２０に接着させる接着剤１２２とを有する。
ビーズ固定領域２２は、ショーツ本体１０を着用した時の身幅方向の７割以上の領域である。さらに、ビーズ固定領域２２は、ショーツ本体２０の身丈方向において、８cｍ以上の領域である。より、具体的には、ビーズ固定領域２２は、ショーツ本体２０を着用した時に下腹部を覆う領域である。ビーズ固定領域２２は、直接肌に触れるよう着用する。
また、ショーツ本体２０は、ガラスビーズ１２０が接着されている位置において、着圧値が１０ｈＰａ未満となるように形成されている。
【００２３】
生理痛緩和装着具２におけるガラスビーズ１２０及び接着剤１２２は、生理痛緩和装着具１に使用されているものと同様であり、ショーツ本体２０から突出するガラスビーズの高さにおいても生理痛緩和装着具１と同様であり、ガラスビーズ１２０同士は１ｃｍ未満の間隔で離間して接着され、ガラスビーズ１２０は、４ｍｍ以下の高さでショーツ本体２０の表面から突出している。本実施例のガラスビーズ１２０は、１ｍｍ以上２ｍｍ以下の高さで、ショーツ本体２０の表面から突出している。また、ガラスビーズ１２０は、ビーズ固定領域２２において、１ｃｍ２あたり９個未満のガラスビーズ１２０が配置されている。
【００２４】
以上説明したように、実施例２における生理痛緩和装着具２は、着用により、ビーズ固定領域２２のガラスビーズ１２０が下腹部に直接接触し、着用者の動作により、適度な着圧値のもと、ガラスビーズ１２０が下腹部に擦れることで生理による下腹部の痛みを緩和させる。実施例１における生理痛緩和装着具１は、腹巻であるため、着用時、ビーズ固定領域１２を肌に直接触れさせるためには、腹巻本体１０の裾部分をショーツの下に入れ込む必要があるが、生理痛緩和装着具２であれば、皮膚と直接接するショーツであるため、他の衣服の下に入れ込む必要はない。そのうえで、生理痛緩和装着具１と同様に、広範囲な領域がガラスビーズ固定領域２２となることで、ガラスビーズ１２０により下腹部全体を刺激し、生理痛の緩和に有効である。
【００２５】
上記実施形態における生理痛緩和装着具１は、ビーズ固定領域１２が下腹部を覆うように着用し、生理痛を緩和する効果を目的とするものであるが、これに限定されず、例えば、ビーズ固定領域１２が腰に接触するよう、前後を逆に着用してもよい。このような着用方法を用いれば、生理による腰痛を緩和することもできる。
【符号の説明】
【００２６】
１、２…生理痛緩和装着具
１０…腹巻本体
１２、２２…ビーズ固定領域
２０…ショーツ
１２０…ガラスビーズ
１２２…接着剤
【図１】
0003220856.tif 000003
【図２】
0003220856.tif 000004
【図３】
0003220856.tif 000005
【手続補正書】
【提出日】平成31年2月8日(2019.2.8)
【手続補正１】
【補正対象書類名】実用新案登録請求の範囲
【補正対象項目名】全文
【補正方法】変更
【補正の内容】
【実用新案登録請求の範囲】
【請求項１】
伸縮性素材の生地からなる腹巻と、
前記腹巻の皮膚と接触する面に固定された複数の突起物と
を有し、
前記突起物が固定されている領域は、前記腹巻を着用した時の下腹部に面した側の身幅方向の７割以上である
生理痛緩和装着具。
【請求項２】
伸縮性素材の生地からなるショーツと、
前記ショーツの下腹部に接触する面に固定された複数の突起物と
を有し、
前記突起物が固定されている領域は、前記ショーツを着用した時の下腹部に面した側の身幅方向の７割以上である
生理痛緩和装着具。
【請求項３】
前記複数の突起物は、互いに１ｃｍ未満の間隔で離間して固定されており、
前記突起物は、身丈方向において、長さ８ｃｍ以上の領域に固定されている
請求項１又は２に記載の生理痛緩和装着具。
【請求項４】
前記複数の突起物は、前記生理痛緩和装着具を着用した時に人体の下腹部を覆う領域に、互いに離間して接着されており、
前記生理痛緩和装着具は、前記突起物のある位置において、着圧値が１０ｈＰａ未満となるように形成されている
請求項１又は２に記載の生理痛緩和装着具。
【請求項５】
前記突起物は、前記生理痛緩和装着具の皮膚と接触する面から突出する高さが４ｍｍ以下の粒状であり、１ｃｍ２当たり９個未満の該突起物が配置されている
請求項１または２に記載の生理痛緩和装着具。